(57)【要約】【課題】  電気光学パネルをバックライトを保持するフレームに正確に位置決めにすることができ、組立後の位置ずれも防止できる電気光学装置を提供する。【解決手段】  一対の基板６，７の間に液晶層８が挟持されてなる液晶パネル２と、液晶パネル２の背面側から光を照射するバックライト３と、バックライト３を保持するフレーム４とを備え、フレーム４は、液晶パネル２を収納するパネル収納部５と、パネル収納部５の底面５ａに設けられた位置決め部１４とを有し、液晶パネル２の背面側の基板６は、フレーム４の位置決め部１４に対応した位置決め部１５を有し、フレーム側の位置決め部１４とパネル側の位置決め部１５とを位置合わせし、液晶パネル２をパネル収納部５に収納した状態において、液晶パネル２の側面とパネル収納部５の側面とが互いに非接触な状態となる。【選択図】  図３
2007078926.tif 000002
【特許請求の範囲】
【請求項１】
一対の基板の間に電気光学物質が挟持されてなる電気光学パネルと、
前記電気光学パネルの視認側とは反対側から光を照射する照明装置と、
前記照明装置を保持するフレームとを備え、
前記フレームは、前記電気光学パネルを収納するパネル収納部と、前記パネル収納部の底面に設けられた位置決め部とを有し、
前記電気光学パネルは、前記パネル収納部の底面と当接される面に前記フレーム側の位置決め部に対応して設けられた位置決め部を有し、
前記電気光学パネル側の位置決め部と、前記フレーム側の位置決め部とを位置合わせし、前記電気光学パネルを前記パネル収納部に収納した状態において、前記電気光学パネルの側面と前記パネル収納部の側面とが互いに非接触な状態となることを特徴とする電気光学装置。
【請求項２】
前記電気光学パネルの少なくとも視認側とは反対側に偏光板が設けられていることを特徴とする請求項１に記載の電気光学装置。
【請求項３】
前記電気光学パネル側の位置決め部は、前記偏光板に設けられていることを特徴とする請求項２に記載の電気光学装置。
【請求項４】
前記電気光学パネル側の位置決め部は、前記照明装置側の基板に設けられていることを特徴とする請求項１に記載の電気光学装置。
【請求項５】
前記フレーム側の位置決め部と、前記電気光学パネル側の位置決め部とを互いに係合させた状態で、前記電気光学パネルが前記パネル収納部に収納されていることを特徴とする請求項１から４の何れか一項に記載の電気光学装置。
【請求項６】
前記フレーム側の位置決め部と、前記電気光学パネル側の位置決め部とのうち、一方が凸部を構成し、他方が凹部又は孔部を構成していることを特徴とする請求項４または５に記載の電気光学装置。
【請求項７】
前記電気光学パネルは、前記パネル収納部に収納された状態で、少なくとも該電気光学パネルの側面と前記パネル収納部の側面との間に注入された接着剤によって、周縁部が前記フレームに接着固定されていることを特徴とする請求項１から６の何れか一項に記載の電気光学装置。
【請求項８】
請求項１から７の何れか一項の電気光学装置を備えたことを特徴とする電子機器。
【発明の詳細な説明】
【技術分野】
【０００１】
本発明は、電気光学装置及び電子機器に関するものである。
【背景技術】
【０００２】
近年、携帯電話機や、デジタルスチルカメラ、デジタルビデオカメラといった電子機器の表示部には、液晶表示装置などの電気光学装置が広く用いられている。ところで、このような電子機器に用いられる液晶表示装置では、バックライトを保持するフレームに液晶表示パネルを正確に位置決めした状態で固定することが重要となってきている（例えば、特許文献１，２を参照。）。
【０００３】
具体的に、液晶パネルをフレームに正確に組み込むためには、その位置決めの基準位置となるフレームに保持されたバックライトの外形から液晶パネルの表示領域までの寸法公差が重要となる。しかしながら、従来の液晶表示装置では、液晶パネルをフレームに組み込む際に、フレームに設けられたパネル収納部の角部に、このパネル収納部に収納される液晶パネルの角部を突き合わせることによって位置決めを行っていた。すなわち、液晶パネルの外形を位置決めの基準としていたため、この液晶パネルの外形公差が組立公差に加算されてしまい、結果として基準位置から液晶パネルの表示領域までの寸法公差が大きくなってしまうといった問題が生じていた。また、組立後に液晶パネルがパネル収納部の面内で位置ずれしてしまうこともあった。
【特許文献１】特開平５−１９２２８号公報
【特許文献２】特開２００１−２１５８９０号公報
【発明の開示】
【発明が解決しようとする課題】
【０００４】
本発明は、このような従来の事情に鑑みて提案されたものであり、電気光学パネルをフレームに正確に位置決めにすることができ、組立後の位置ずれも防止できる電気光学装置を提供することを目的とする。
また、本発明は、このような電気光学装置を備えることによって、高い信頼性と優れた量産性とを兼ね備えた電子機器を提供することを目的とする。
【課題を解決するための手段】
【０００５】
この目的を達成するために、本発明に係る電気光学装置は、一対の基板の間に電気光学物質が挟持されてなる電気光学パネルと、電気光学パネルの視認側とは反対側から光を照射する照明装置と、照明装置を保持するフレームとを備え、フレームは、電気光学パネルを収納するパネル収納部と、パネル収納部の底面部に設けられた位置決め部とを有し、電気光学パネルは、パネル収納部の底面と当接される面にフレーム側の位置決め部に対応して設けられた位置決め部を有し、電気光学パネル側の位置決め部と、フレーム側の位置決め部とを位置合わせし、電気光学パネルをパネル収納部に収納した状態において、電気光学パネルの側面とパネル収納部の側面とが互いに非接触な状態となることを特徴とする電気光学装置。
この構成によれば、電気光学パネルの外形公差によらずに、該電気光学パネルをフレームのパネル収納部に正確に位置決めした状態で収納することができる。
【０００６】
また、本発明に係る電気光学装置では、電気光学パネルの照明装置側に偏光板が設けられた構成の場合、パネル収納部の底面部に偏光板が当接された状態で、電気光学パネルをパネル収納部に収納することができる。
この場合、電気光学パネル側の位置決め部は、偏光板に設けることが好ましい。
【０００７】
一方、本発明に係る電気光学装置では、パネル収納部の底面部に照明装置側の基板が当接された状態で、電気光学パネルをパネル収納部に収納することもできる。
この場合、電気光学パネル側の位置決め部は、照明装置側の基板に設けることが好ましい。
【０００８】
また、本発明に係る電気光学装置では、フレーム側の位置決め部と、電気光学パネル側の位置決め部とを互いに係合させた状態で、電気光学パネルがパネル収納部に収納されていることが好ましい。
この構成によれば、電気光学パネルをフレームのパネル収納部に正確に位置決めした状態で収納することができる。
【０００９】
また、本発明に係る電気光学装置では、フレーム側の位置決め部と、電気光学パネル側の位置決め部とのうち、一方が凸部を構成し、他方が凹部又は孔部を構成していることが好ましい。
この構成によれば、凸部と凹部又は孔部との係合によりフレームのパネル収納部に対する電気光学パネルの位置決めを容易に行うことができる。また、電気光学パネルがパネル収納部内で位置ずれすることを防止することができる。
【００１０】
また、本発明に係る電気光学装置では、電気光学パネルがパネル収納部に収納された状態で、少なくとも電気光学パネルの側面とパネル収納部の側面との間に注入された接着剤によって電気光学パネルがフレームに接着固定されていることが好ましい。
この構成によれば、電気光学パネルの側面とパネル収納部の側面との間に注入された接着剤により電気光学パネルをフレームに強固に固定することができる。また、電気光学パネルをフレームに両面テープ（粘着シート）で固定する構造に比べて、電気光学パネルの非表示領域の面積によらずに、この電気光学パネルをフレームに充分な接着力で固定することができ、装置全体の厚みも薄くすることができる。
【００１１】
本発明に係る電子機器は、上述した本発明に係る電気光学装置を備えたことを特徴とする。
この構成によれば、高い信頼性と優れた量産性とを兼ね備えた電子機器を得ることができる。
【発明を実施するための最良の形態】
【００１２】
以下、本発明の実施の形態について、本発明を電気光学装置の一例である透過型の液晶表示装置に適用した場合を例に挙げて説明する。なお、以降の説明では図面を用いて各種の構造を例示するが、これらの図面に示される構造は特徴的な部分を分かり易く示すために実際の構造に対して寸法を異ならせて示す場合がある。
図１は、本発明を適用した液晶表示装置１の構成を示す分解斜視図であり、図２は、バックライト３を保持したフレーム４を示す平面図であり、図３は、液晶表示装置１の要部を拡大して示す断面図である。
【００１３】
この液晶表示装置１は、図１、図２及び図３に示すように、電気光学パネルである液晶パネル２と、この液晶パネルの背面側から光を照射する照明装置であるバックライト３と、このバックライトを保持するフレーム４とを備え、フレーム４に設けられたパネル収容部５に液晶表示パネル２が収納されて、これらが一体化された構造を有している。
【００１４】
液晶パネル２は、互いに対向する背面（バックライト）側の素子基板６と前面（視認）側の対向基板７とを有し、これら一対の基板６，７の間に液晶層（電気光学物質）８が挟持されてなる構造を有している。具体的に、一対の基板６，７は、略矩形状の透明基板からなり、その周囲が環状のシール材（図示せず。）によって貼り合わされている。また、一対の基板６，７の間には、セルギャップと呼ばれる隙間が設けられ、このセルギャップ内に、例えばＴＮ（Twisted Nematic）液晶などの電気光学材料が封入されることによって、液晶層８が形成されている。
【００１５】
一対の基板６，７の間には、図示を省略するが、表示領域内の画素毎に画素電極と、この画素電極に接続されたスイッチング素子とが設けられている。スイッチング素子は、ＴＦＴ（薄膜トランジスタ）や、ＴＦＤ（薄膜ダイオード）などのアクティブ素子からなる。これらのアクティブ素子は、基板６，７の周辺部に一体に設けられたドライバ回路又は基板６，７と接続された外部基板のドライバ回路によって、その駆動が制御される。また、液晶パネル２は、このような画素電極毎にアクティブ素子を設けて駆動を行うアクティブ駆動方式に限らず、一対の基板６，７の間に互いに交差するストライブ電極を設けて、これらストライブ電極の間で液晶層８に電圧を印加するパッシブ駆動方式を採用してもよい。
【００１６】
この液晶パネル２の背面側及び前面側には、一対の偏光板９ａ，９ｂが設けられている。これら一対の偏光板９ａ，９ｂは、ノーマリーブラックモードやノーマリーホワイトモードなどの表示モードに応じて、互いの透過軸が直交又は平行に配置されている。また、偏光板９ａ，９ｂは、少なくとも液晶パネル２の表示領域を被覆するように、それぞれ基板６，７の外面に貼り付けられている。
【００１７】
バックライト３は、照明光を出射する光源１０と、この光源１０から出射された照明光を液晶パネル２側へと導く導光板１１とを備えている。光源１０は、例えば発光ダイオード（ＬＥＤ:Light Emitting Diode）からなり、導光板１１の一端面に沿って複数配置されている。また、光源１０には、ＬＥＤ以外にも、例えば冷陰極管や有機エレクトロルミネッセンス素子などを用いることができる。導光板１１は、アクリル樹脂などの光透過性の板材からなり、光源１０から出射された照明光を面発光させながら液晶パネル２の背面側に照射する。
【００１８】
フレーム４は、例えば全体が略矩形枠状に形成された樹脂等の部材からなる。パネル収納部５は、このフレーム４の内側に形成された凹部であり、液晶パネル２の外形に対応した内形形状を有している。また、パネル収納部５の底面５ａには、略矩形状の開口部１２が形成されている。フレーム４は、この開口部１２の内側に導光板１１を嵌め込むことによって、バックライト３を保持している。具体的に、導光板１１を開口部１２に嵌め込む際には、導光板１１の長手方向の両側面部から突出された一対の係止片１１ａ，１１ａ及び一対の係止片１１ｂ，１１ｂを、それぞれ開口部１２の周囲に設けられた係止凹部１２ａ，１２ｂに係止させる。
【００１９】
パネル収納部５の底面５ａにおける開口部１２の周囲は、このパネル収納部５に収納された液晶パネル２の素子基板６が当接される面であり、液晶パネル２の非表示領域を厚み方向に支持することになる。液晶パネル２は、背面側の偏光板９ａをバックライト３側に向けた状態で導光板１１と厚み方向に重なるようにパネル収納部５に収納されると共に、この気光学パネル２の側面とパネル収納部５の側面５ｂとの間に注入された接着剤１３によって周縁部がフレーム４に接着固定されている。
【００２０】
この場合、液晶パネル２をフレーム４に両面テープ（粘着シート）で固定する構造に比べて、液晶パネル２の非表示領域に接着される両面テープの接着面積によらずに、この液晶パネル２をフレーム４に充分な接着力で固定することができる。また、液晶パネル２の素子基板６とパネル収納部５の底面５ａとの間に介在される両面テープが不要となるため、装置全体の厚みを薄くすることができる。さらに、液晶パネル２とフレーム４との間の隙間を接着剤１３で埋めることで、組立後に生じた衝撃落下などの機械的ストレスによる液晶パネル２の位置ずれを防止することができる。
【００２１】
ところで、本発明を適用した液晶表示装置１は、パネル収納部５の底面５ａに位置決め部１４を有している。この位置決め部１４は、凸部又は凹部によって構成されている。本実施の形態では、例えば図９（ａ）に示すように、パネル収納部５の底面５ａから突出された略円錐状の凸部によってフレーム側の位置決め部１４が構成されている。
【００２２】
これに対して、液晶パネル２の背面側の素子基板９ａは、図３に示すように、パネル収納部５の底面５ａと当接される面にフレーム側の位置決め部１４に対応して設けられた位置決め部１５を有している。この位置決め部１５は、フレーム側の位置決め部１４を構成する凸部又は凹部と係合可能な凹部又は凸部によって構成されている。具体的に、図３に示す実施形態では、上述した図９（ａ）に示す略円錐状の凸部が嵌合される略円錐状の凹部によってパネル側の位置決め部１５が構成されている。また、この位置決め部１５となる凹部は、上述した図２に示す凸部の配置に合わせて、素子基板６の外面に一対配置されている。また、この位置決め部１５は、液晶パネル２の表示領域を基準として、液晶パネル２をフレーム４に組み込んだ際に、この液晶パネル２の表示領域とバックライト３の導光板１１とが一致するよう配置されている。
【００２３】
以上のような構成を有する液晶表示装置１では、図３に示すように、フレーム側の位置決め部１４とパネル側の位置決め部１５とを位置合わせし、液晶パネル２をパネル収納部５に収納した状態において、液晶パネル２の側面とパネル収納部５の側面５ｂとが互いに非接触な状態となっている。
【００２４】
したがって、これらフレーム側の位置決め部１４とパネル側の位置決め部１５とを位置合わせすれば、液晶パネル２の外形公差によらずに、液晶パネル２をフレーム４のパネル収納部５に正確に位置決めした状態で収納することができる。
【００２５】
また、この液晶表示装置１では、フレーム側の位置決め部（凸部）１４と、パネル側の位置決め部（凹部）１５とを互いに係合させることによって、液晶パネル２をパネル収納部５に正確に位置決めした状態で収納することができる。
【００２６】
また、フレーム側の位置決め部１４を構成する凸部１４が、パネル側の位置決め部１５を構成する凹部に係合（ここでは嵌合）された状態となるため、液晶パネル２がパネル収納部５内で位置ずれすることを防止することができる。
【００２７】
さらに、この液晶表示装置１の組立時には、液晶パネル２をフレーム４のパネル収納部５に収納するだけで、位置決め部１４，１５を構成する凸部と凹部との嵌合により液晶パネル２とバックライト３との位置決めが自動的になされることから、このようなセルフアライメントによって組み立て作業が容易となる。したがって、生産性の向上も図ることができる。
【００２８】
一方、本発明を適用した液晶表示装置１では、例えば図４に示すように、フレーム側の位置決め部１４を凹部によって構成し、パネル側の位置決め部１５を凸部によって構成することもできる。
【００２９】
この場合も、フレーム側の位置決め部（凹部）１４と、パネル側の位置決め部（凸部）１５とを互いに係合させることによって、液晶パネル２をフレーム４のパネル収納部５に正確に位置決めした状態で収納することができ、液晶パネル２がパネル収納部５内で位置ずれすることを防止することができる。
【００３０】
一方、本発明を適用した液晶表示装置１では、例えば図５に示すように、パネル収納部５の底面５ａに背面側の偏光板９ａを厚み方向に逃がす段差部１６を設けた構成とすることもできる。この段差部１６は、パネル収納部５の底面５ａにおける開口部１２の周囲を、素子基板６に貼り付けられた偏光板９ａの外形に合わせて、素子基板６が当接される面よりも該偏光板９の厚み分だけ低くした部分である。
【００３１】
この場合、段差部１６が偏光板９ａを厚み方向に逃がすことによって、パネル収納部５の底面５ａに素子基板６が当接された状態で、液晶パネル２をパネル収納部５に収納されることになる。したがって、液晶表示装置１では、このような段差部１６が偏光板９ａを厚み方向に逃がすことによって、この偏光板９ａの厚みによらずに、装置全体の厚みを薄くすることが可能である。
【００３２】
ところで、このような液晶表示装置１が搭載される電子機器においては、表示部の更なる大型化や狭額縁化が行われている。これに伴って、液晶表示装置１では、液晶パネル２の表示領域を拡大する一方、この表示領域の周囲を囲む非表示領域を狭額縁化することが行われている。
【００３３】
この場合、液晶表示装置１では、液晶パネル２の表示領域を被覆する偏光板９ａも拡大するため、例えば図６に示すように、パネル収納部５の底面５ａに偏光板９ａが当接された状態で、液晶パネル２がパネル収納部５に収納されることになる。
【００３４】
したがって、この場合には、上述した素子基板６に設けられた位置決め部１５に代わって、パネル側の位置決め部１７を偏光板９ａに設けることが好ましい。
このパネル側の位置決め部１７は、フレーム側の位置決め部１４を構成する凸部又は凹部と係合可能な凹部又は凸部によって構成される。具体的に、図６に示す実施形態では、上述した図９（ａ）に示す略円錐状の凸部（位置決め部１５）が嵌合される略円錐状の凹部によってパネル側の位置決め部１７が構成されている。また、この位置決め部１７となる凹部は、上述した図２に示す凸部（位置決め部１５）の配置に合わせて、偏光板９ａの外面に一対配置されている。また、この位置決め部１７は、液晶パネル２の表示領域を基準として、液晶パネル２をフレーム４に組み込んだ際に、この液晶パネル２の表示領域とバックライト３の導光板１１とが一致するよう配置されている。
【００３５】
以上のような構成を有する液晶表示装置１では、図６に示すように、フレーム側の位置決め部１４とパネル側の位置決め部１７とを位置合わせし、液晶パネル２をパネル収納部５に収納した状態において、液晶パネル２の側面とパネル収納部５の側面５ｂとが互いに非接触な状態となっている。
【００３６】
したがって、これらフレーム側の位置決め部１４とパネル側の位置決め部１７とを位置合わせすれば、液晶パネル２の外形公差によらずに、液晶パネル２をフレーム４のパネル収納部５に正確に位置決めした状態で収納することができる。
【００３７】
また、この液晶表示装置１では、フレーム側の位置決め部（凸部）１４と、パネル側の位置決め部（凹部）１７とを互いに係合させることによって、液晶パネル２をパネル収納部５に正確に位置決めすることができる。
【００３８】
また、フレーム側の位置決め部１４を構成する凸部が、パネル側の位置決め部１７を構成する凹部に係合（ここでは嵌合）された状態となるため、液晶パネル２がパネル収納部５内で位置ずれすることを防止することができる。
【００３９】
さらに、この液晶表示装置１の組立時には、液晶パネル２をフレーム４のパネル収納部５に収納するだけで、位置決め部１４，１７を構成する凸部と凹部との嵌合により液晶パネル２とバックライト３との位置決めが自動的になされることから、このようなセルフアライメントによって組み立て作業が容易となる。したがって、生産性の向上も図ることができる。
【００４０】
また、本発明を適用した液晶表示装置１では、例えば図７に示すように、パネル側の位置決め部として、フレーム側の位置決め部１４を構成する凸部と係合可能な孔部１８を設けた構成とすることもできる。
この場合も、フレーム側の位置決め部（凸部）１４と、パネル側の位置決め部（孔部）１８とを互いに係合させることによって、液晶パネル２をフレーム４のパネル収納部５に正確に位置決めした状態で収納することができ、液晶パネル２がパネル収納部５内で位置ずれすることを防止することができる。
【００４１】
一方、本発明を適用した液晶表示装置１では、例えば図８に示すように、フレーム側の位置決め部１４を凹部によって構成し、パネル側の位置決め部１７を凸部によって構成することもできる。
この場合も、フレーム側の位置決め部（凹部）１４と、パネル側の位置決め部（凸部）１７とを互いに係合させることによって、液晶パネル２をフレーム４のパネル収納部５に正確に位置決めした状態で収納することができ、液晶パネル２がパネル収納部５内で位置ずれすることを防止することができる。
【００４２】
また、本発明を適用した液晶表示装置１では、前記フレーム側の位置決め部１４として、上述した図９（ａ）に示す略円錐状の凸部に代わって、例えば図９（ｂ）に示すような断面略三角状の突条部１９をパネル収納部５の底面５ａに設けた構成とすることができる。この突条部１９は、例えば矩形状の開口部１２の各辺に沿ってパネル収納部５の底面５ａから突出形成されている。
一方、前記素子基板６又は偏光板９ａには、これに対応したパネル側の位置決め部１５，１７として、図９（ｂ）に示す突条部１９が嵌合される略Ｖ字状の溝部を設けることとする。
これにより、液晶表示装置１では、フレーム側の位置決め部（突条部）１４と、パネル側の位置決め部（溝部）１５，１７とを互いに係合させることによって、液晶パネル２をパネル収納部５に正確に位置決めすることができ、液晶パネル２がパネル収納部５内で位置ずれすることを防止することができる。
さらに、このような突条部又は溝部を開口部１２の周囲に設けることによって、偏光板９ａとパネル収納部５の底面５ａとの間から接着剤１３が液晶パネル２の表示領域側（内側）へと流れ込むのを防ぐことが可能である。
【００４３】
さらに、本発明を適用した液晶表示装置１では、上述した構成とは逆、すなわちフレーム側の位置決め部１４を溝部によって構成し、パネル側の位置決め部１５，１７を突条部によって構成することもできる。
この場合も、フレーム側の位置決め部（溝部）１４と、パネル側の位置決め部（突条部）１５，１７とを互いに係合させることによって、液晶パネル２をフレーム４のパネル収納部５に正確に位置決めした状態で収納することができ、液晶パネル２がパネル収納部５内で位置ずれすることを防止することができる。
さらに、このような突条部又は溝部を開口部１２の周囲に設けることによって、偏光板９ａとパネル収納部５の底面５ａとの間から接着剤１３が液晶パネル２の表示領域側（内側）へと流れ込むのを防ぐことが可能である。
【００４４】
ところで、前記位置決め部１４，１５，１７を構成する凸部と凹部又は孔部とのうち、凸部は、先端を尖らせた形状とし、凹部又は孔部の内形と同じか、それよりも大きい形状とすることが好ましい。
この場合、液晶パネル２をフレーム４に組み込んだ際に、凸部と凹部又は孔部との嵌合により組立後の液晶パネル２とバックライト３との位置ずれを防止し、且つ、組立精度の向上を図ることができる。また、セルフアライメントによる組み立てが可能なため、生産性の向上も図ることができる。
また、場合によっては、凸部と凹部又は孔部とを互いに嵌め込む（抜け止めする）ような構成とすることもできる。
また、前記位置決め部１４，１５，１７を構成する凸部は、平面視略Ｘ字状や略Ｌ字状といった形状とすることで、このような凸部を１箇所配置するだけ、液晶パネル２のパネル収納部５における面内（Ｘ−Ｙ）方向の位置決めを行うことができる。
【００４５】
（電子機器）
次に、本発明を適用した電子機器の一具体例として、図１０に示す携帯電話機１０００について説明する。
図１０は、携帯電話機１０００の外観を示す斜視図である。この携帯電話機１０００の表示部１００１には、上述した液晶表示装置１が採用されている。したがって、この携帯電話機１０００では、高い信頼性と優れた量産性とを得ることが可能である。
【００４６】
なお、本発明の液晶表示装置（電気光学装置）は、上記携帯電話機に限らず、例えば、電子ブックや、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルなどの電子機器の表示部（画像表示手段）として好適に用いることができ、何れにおいても表示部の更なる大型化や狭額縁化を可能とし、信頼性が高く表示品質に優れた電子機器を提供することができる。
【００４７】
以上、図面を参照しながら本発明の実施の形態について説明したが、本発明はこれらの例に限定されないことは言うまでもない。すなわち、上述した例において示した各構成部材の諸形状や組み合わせ等は一例であって、本発明の主旨から逸脱しない範囲において設計要求等に基づき種々の変更が可能である。
なお、本発明において、電気光学物質、電気光学パネル、電気光学装置とは、電界により物質の屈折率が変化して光の透過率を変化させる電気光学効果を有するものの他、電気エネルギーを光学エネルギーに変換するもの等も含んで総称している。
【図面の簡単な説明】
【００４８】
【図１】本発明を適用した液晶表示装置の構成を示す分解斜視図である。
【図２】バックライトを保持したフレームを示す（ａ）は平面図、（ｂ）はＡ−Ａ’断面図、（ｃ）はＢ−Ｂ’断面図である。
【図３】液晶表示装置の要部を拡大して示す断面図である。
【図４】液晶表示装置の変形例を示す断面図である。
【図５】液晶表示装置の変形例を示す断面図である。
【図６】液晶表示装置の変形例を示す断面図である。
【図７】液晶表示装置の変形例を示す断面図である。
【図８】液晶表示装置の変形例を示す断面図である。
【図９】位置決め部を構成する（ａ）は凸部、（ｂ）は突状部を示す斜視図である。
【図１０】電子機器の一例である携帯電話機を示す斜視図である。
【符号の説明】
【００４９】
１…液晶表示装置（電気光学装置）、２…液晶表示パネル（電気光学パネル）、３…バックライト、４…フレーム、５…パネル収容部、５ａ…底面部、６…素子基板、７…対向基板、８…液晶層、９ａ，９ｂ…偏光板、１３…接着剤、１４…フレーム側の位置決め部（凸部又は凹部）、１５…基板側の位置決め部（凹部又は凸部）、１７…偏光板側の位置決め部（凸部又は凹部）、１８…孔部、１９…突条部、１０００…携帯電話機（電子機器）
【図１】
2007078926.tif 000003
【図２】
2007078926.tif 000004
【図３】
2007078926.tif 000005
【図４】
2007078926.tif 000006
【図５】
2007078926.tif 000007
【図６】
2007078926.tif 000008
【図７】
2007078926.tif 000009
【図８】
2007078926.tif 000010
【図９】
2007078926.tif 000011
【図１０】
2007078926.tif 000012